(57)【要約】【課題】腰痛の予防や治療で利用するもので、ウエストなどのサイズ調整が自由にできる腹巻きを提供を目的とする。【解決手段】本考案の腹巻きは、体に巻きつける機能をもった弾力性のあるベルト一対と、そのベルトを自由に結合し長さ調整をすることができるよう工夫された背当て部分からなる。【選択図】  図１
0003104738.tif 000002
【実用新案登録請求の範囲】
【請求項１】
一対となるように接合部分を設けてある２本の独立した伸縮性のあるベルトを、別に設けた背当て部分に、マジックテープなどで着脱可能な構造にし、長さを調整することが可能にした腰痛予防や治療に使われる腹巻き。
【考案の詳細な説明】
【技術分野】
【０００１】  本考案は、腰痛などの予防や治療に使われる腹巻きに関する。
【背景技術】
【０００２】  一般に腰痛などの予防や治療に使われる腹巻きは、同デザイン、同機能であっても、３〜４サイズに分かれており、使用者は自分のウエストのサイズに合わせて、そのサイズの中から最適と思われるものを購入、使用するのが一般的である。【０００３】  この腹巻きは、使用する素材全体の弾力性や、接合する部分で、ある程度の締め付け具合を調整する機能はあるが、サイズ自体を調整する機能はない。よって、使用者の体型によっては、ウエストを基準にして購入、使用しているにもかかわらず、使用感が悪かったり、使用できなかったりすることもあった。【０００４】  他方、腹巻きのメーカーは、同一デザイン、同一機能の腹巻きを製造するにあたって、使用者のウエストにあわせて数サイズの製品を作る必要があり、これはコストの問題からも在庫の問題からも非常に負担であった。
【考案の開示】
【考案が解決しようとする課題】
【０００５】  したがって、本考案は上記従来の問題点に鑑み、一つの腹巻きの中で、ウエストなどのサイズ調整が自由にできるようにするものである。
【課題を解決するための手段】
【０００６】  前記課題を解決するために、腹巻きの中でも、加工を施しても、比較的使用感や機能を損ないにくい、背中側に長さを調整する機能を設けることを考案する。
【考案の効果】
【０００７】  上述の様に、腹巻きの背中側に長さを調整する機能を設ける事により、一つの腹巻きで体形の違う人が利用できるため、製造者は通常、一つの製品で３〜４サイズの種類が必要であったものが、１〜２サイズ程度の種類で済むようになり、コストや在庫の負担が少なくなる。また、使用者は自分の体形に合うか合わないかを気にしなくても購入、使用することができるようになる。
【考案の実施する最良の形態】
【０００８】  以下、本考案の腹巻きについて詳しく説明する。
本考案の腹巻きの構造は、体に巻きつける機能をもった弾力性のあるベルト一対と、そのベルトを自由に結合し長さ調整をすることができるよう工夫された背当て部分からなる。
【０００９】  このベルトは、オスの機能を持ったマジックテープが一端についたベルトとメスの機能を持ったマジックテープが一端についたベルトとが一対となり、結合する。この結合は、腹巻きを体に巻きつけることを目的として、固定するためのもので、ある程度の締め付け具合を調整する機能も有している。さらにこの一対のベルトのそれぞれのもう一方の端には、背当て部分に結合させるためのオスのマジックテープが付けられている。
【００１０】  このベルトの主な素材は、ゴムや、ポリウレタンなどの化学繊維に伸縮性を持たせた加工を施したものが使われる。
【００１１】  背当て部分は、布やメッシュなどの素材を用い、その片面にはマジックテープのメスが縫い付けるなどしてある。このマジックテープに、先に述べた一対のベルトのマジックテープのオスを連結し長さの調整を可能にする。
【００１２】  背当て部分の長さは、装着感から、巻きつける体の幅くらいが適当であり、この長さ分が、ベルトを装着した際に腹巻きとしての長さを調整することのできる幅となる。
この背当て部分の長さが、体の側面を越えてお腹側まで来る長さになると、腹巻きの長さの調整する幅は増えるが、ベルトをしめつけた時に痛いなど装着感が損なわれるので適当ではない。
【００１３】  一般の腹巻きの場合、この背当てにあたる部分に伸縮性のあるベルトを直接縫い付けて固定しており、腹巻きのサイズとは、主にこのベルト部分の長さにより決まる。
【００１４】  さらに、この背当て部分には、腰痛の治療や予防の効果をあげるために、背筋を固定し、あるいは補助補強するために金属や硬質のプラスチックなどでできた板を縦に配置したものや、数個の磁石を配置し血行を促進する機能をもたせたりすることは、一般的におこなわれており、本考案の腹巻きも長さ調整の機能の他にこのような機能を配置することができる。
【実施例１】
【００１５】  つぎに、本考案の腹巻きを図面に示した実施例に基づいて詳細に説明する。
図１は、本考案の腹巻きを体側から見た斜視図で、図２は図１の裏から見た時の図である。
背当て部分（１）には、マジックテープのメス（２）が施されており、ベルト部分のマジックテープオス（１０）と接合する。この接合位置によって腹巻き全体の長さを調整することができる。【００１６】  図３は、腹巻きの長さが最小になるように、ベルト（７）及びベルト（８）を接合した図である。
また、図４は、腹巻きの長さが最大になるように、ベルト（７）及びベルト（８）を接合した図である。この際、背当て部分（１）の幅が、腹巻きの長さ調整の最大の幅にならないのは、ベルト部分に設けられたマジックテープのオス（１０）の幅のためである。【００１７】  図１及び図２の様に、ベルト部分（７）には、取っ手にあたる部分（５）があり、マジックテープのメス（３）が施されており、ベルト部分（８）の取っ手にあたる部分（６）のマジックテープのオス（１１）と装着時にお腹の前で結合し、腹巻きをとめることができる。図５は、マジックテープのオス（１１）とマジックテープのメス（３）を結合させて腹巻きとして使用した時の結合状態を示した図である。
【実施例２】
【００１８】  先に述べたように、背当て部分には、一般的に金属の板や磁石を配置し、腰痛予防や治療を施すような工夫がされており、図６及び図７は本考案の方法で、磁石パット（１２）を装着できるように背当て部分（１４）にポケットを施したものである。この場合も背当て部分に施されたマジックテープのメス（１３）に、ベルト部分に施されたマジックテープのオス（２０）の結合位置によって、腹巻きの長さの調整が可能となる。【００１９】  また、図８のように、体型によっては、特にウエストとヒップの大きさの差が多い人は、ベルト部分を少し傾けて背当て部分に取り付けると必要以上の締め付け感などの負担がなく、快適に使用することができる。
【図面の簡単な説明】
【００２０】
【図１】本考案の腹巻きの一例を示す説明図で体に装着する側から見た斜視図。
【図２】本考案の腹巻きの一例を示す説明図で体に装着する外側から見た斜視図。
【図３】本考案の腹巻きで最小の長さにしたときを示す図。
【図４】本考案の腹巻きで最大の長さにしたときを示す図。
【図５】本考案の腹巻きで、体に巻いた時の形を示す図。
【図６】本考案の腹巻きで、背当て部分に磁石パットを挿入できるタイプを示す図。
【図７】図６で示した腹巻きを装着した時に体の側から見た図で、ベルト部分を外した状態を示す図。
【図８】図６及び図７の腹巻きで、ベルト部分を斜めに取り付けた時を示す図。
【符号の説明】
【００２１】  １  背当て部分
２  マジックテープのメスでマジックテープのオス（１０）と接合する。
３  マジックテープのメスでマジックテープのオス（１１）と接合する。
４  取っ手部分のメッシュ
５  取っ手部分
６  取っ手部分
７  ベルト部分
８  ベルト部分
９  伸縮性のあるゴム部分
１０  マジックテープのオスでマジックテープのメス（２）と接合する。
１１  マジックテープのオスでマジックテープのメス（３）と接合する。
１２  磁石パット
１３  マジックテープのメスでマジックテープのオス（２０）と接合する。
１４  背当て部分
１５  ベルト部分
１６  ベルト部分
１７  磁石パットを体に固定するゴム
１８  磁石パットを体に固定するゴム
１９  マジックテープのオスでマジックテープのメス（１３）に接合する。
２０  マジックテープのオスでマジックテープのメス（１３）に接合する。
【図１】
0003104738.tif 000003
【図２】
0003104738.tif 000004
【図３】
0003104738.tif 000005
【図４】
0003104738.tif 000006
【図５】
0003104738.tif 000007
【図６】
0003104738.tif 000008
【図７】
0003104738.tif 000009
【図８】
0003104738.tif 000010